【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】  ワイヤレス通信システム中の基地局のタイミングを較正する方法において、
ワイヤレス通信装置の位置情報を決定し、
前記ワイヤレス通信装置と前記基地局との間の見通線距離に対応する見通線遅延を計算し、前記見通線距離は基地局位置情報と前記ワイヤレス通信装置位置情報とに基づいており、
前記基地局から前記ワイヤレス通信装置に送信される第１の信号の到着時間を検出し、
前記第１の信号により生じる遅延と、前記第１の信号に応答して、前記ワイヤレス通信装置から前記基地局に返信される第２の信号により生じる遅延とに対応する往復遅延を測定し、
前記見通線遅延と前記第１の信号の到着時間と前記往復遅延とに基づいて、基地局タイミング較正誤差を決定し、
前記基地局タイミングを較正して前記基地局タイミング較正誤差を補償することを含み、
前記見通線遅延は、以下の関係：
ΔLOS＝（√（（ｘｂ−ｘw）2＋（ｙｂ−ｙw）2＋（ｚｂ−ｚw）2））
／ｃ
によって決定され、
ここで、ΔLOSは見通線遅延を表し、
ｘｂ、ｙｂ、およびｚｂは基地局位置情報を識別する座標情報を表し、
ｘw、ｙwおよびｚwはワイヤレス通信装置位置情報を識別する座標情報を表し、
ｃは光速を表している方法。
【請求項２】  前記基地局タイミング較正誤差を決定することは、前記第１の信号の到着時間と前記見通線遅延とワイヤレス通信装置処理遅延とに基づいてフォワードリンク基地局タイミング較正誤差を決定することを含む請求項１記載の方法。
【請求項３】  前記基地局タイミング較正誤差を決定することは、前記往復遅延と前記第１の信号の到着時間と前記見通線遅延と前記ワイヤレス通信装置処理遅延とに基づいてリバースリンク基地局タイミング較正誤差を決定することを含む請求項２記載の方法。
【請求項４】  前記フォワードリンク基地局タイミング較正誤差は、以下の関係：
Δbf＝τarr−Δwf−ΔLOS
によって決定され、
ここで、Δbfはフォワードリンク基地局タイミング較正誤差を表し、
Δwfはワイヤレス通信装置処理遅延を表し、
τarrは第１の信号の到着時間を表し、
ΔLOSは見通線遅延を表す請求項３記載の方法。
【請求項５】  前記リバースリンク基地局タイミング較正誤差は、以下の関係：
Δbr＝ＲＴＤ＋Δwf−τarr−ΔLOS
によって決定され、
ここで、Δbrはリバースリンク基地局タイミング較正誤差を表し、
ＲＴＤは往復遅延を表し、
Δwfはワイヤレス通信装置処理遅延を表し、
τarrは第１の信号の到着時間を表し、
ΔLOSは見通線遅延を表す請求項４記載の方法。
【請求項６】  前記往復遅延を測定することは、
前記基地局から前記ワイヤレス通信装置に送信される複数の第１の信号と、前記第１の信号に応答して、前記ワイヤレス通信装置から前記基地局に送信される複数の第２の信号とに対応する複数の遅延を測定し、
前記複数の遅延を平均して前記往復遅延を決定することをさらに含む請求項５記載の方法。
【請求項７】  前記基地局タイミングを較正して前記基地局タイミング較正誤差を補償することは、前記フォワードリンク基地局タイミング較正誤差と等価な量だけ、前記基地局から前記ワイヤレス通信装置に送信される信号に対する送信時間を調整することを含む請求項６記載の方法。
【請求項８】  前記基地局タイミングを較正して前記基地局タイミング較正誤差を補償することは、前記リバースリンク基地局タイミング較正誤差と等価な量だけ、前記ワイヤレス通信装置から前記基地局に送信される信号に対する受信時間を調整することをさらに含む請求項７記載の方法。
【請求項９】  前記ワイヤレス通信装置の位置情報を決定することは、前記ワイヤレス通信装置中でグローバルポジショニング衛星メカニズムを使用することを含み、前記グローバルポジショニング衛星メカニズムは、複数の関係する衛星からタイミングおよび周波数情報を受信し、前記タイミングおよび周波数情報に基づいてその位置を決定するように構成されている請求項８記載の方法。
【請求項１０】  ワイヤレス通信システム中で基地局タイミングを較正するシステムにおいて、
通信信号を送信し、受信し、処理する基地局と、
前記基地局と通信し、その位置を決定し、前記基地局から送信される第１の信号の到着時間を検出し、前記ワイヤレス通信装置と前記基地局との間の見通線距離に対応する見通線遅延を計算するように構成され、前記見通線距離は基地局位置情報と前記ワイヤレス通信装置位置情報とに基づいているワイヤレス通信装置とを具備し、
前記基地局は前記第１の信号により生じる遅延と、前記第１の信号に応答して前記ワイヤレス通信装置から前記基地局に返信される第２の信号により生じる遅延とに対応する往復遅延を測定し、
前記基地局は前記見通線遅延と前記第１の信号の到着時間と前記往復遅延とに基づいて、基地局タイミング較正誤差を決定し、前記基地局タイミングを較正して前記基地局タイミング較正誤差を補償し、
前記見通線遅延は、以下の関係：
ΔLOS＝（√（（ｘｂ−ｘw）2＋（ｙｂ−ｙw）2＋（ｚｂ−ｚw）2））
／ｃ
によって決定され、
ここで、ΔLOSは見通線遅延を表し、
ｘｂ、ｙｂ、およびｚｂは基地局位置情報を識別する座標情報を表し、
ｘw、ｙwおよびｚwはワイヤレス通信装置位置情報を識別する座標情報を表し、
ｃは光速を表しているシステム。
【請求項１１】  前記基地局タイミング較正誤差は、前記第１の信号の到着時間と前記見通線遅延とワイヤレス通信装置処理遅延とに基づくフォワードリンク基地局タイミング較正誤差を含む請求項１０記載のシステム。
【請求項１２】  前記基地局タイミング較正誤差は、前記往復遅延と前記第１の信号の到着時間と前記見通線遅延と前記ワイヤレス通信装置処理遅延とに基づくリバースリンク基地局タイミング較正誤差をさらに含む請求項１１記載のシステム。
【請求項１３】  前記フォワードリンク基地局タイミング較正誤差は、以下の関係：
Δbf＝τarr−Δwf−ΔLOS
によって決定され、
ここで、Δbfはフォワードリンク基地局タイミング較正誤差を表し、
Δwfはワイヤレス通信装置処理遅延を表し、
τarrは第１の信号の到着時間を表し、
ΔLOSは見通線遅延を表す請求項１２記載のシステム。
【請求項１４】  前記リバースリンク基地局タイミング較正誤差は、以下の関係：
Δbr＝ＲＴＤ＋Δwf−τarr−ΔLOS
によって決定され、
ここで、Δbrはリバースリンク基地局タイミング較正誤差を表し、
ＲＴＤは往復遅延を表し、
Δwfはワイヤレス通信装置処理遅延を表し、
τarrは第１の信号の到着時間を表し、
ΔLOSは見通線遅延を表す請求項１３記載のシステム。
【請求項１５】  前記往復遅延は、前記基地局から前記ワイヤレス通信装置に送信される複数の第１の信号と、前記第１の信号に応答して、前記ワイヤレス通信装置から前記基地局に送信される複数の第２の信号とに対応する複数の遅延の平均を含む請求項１４記載のシステム。
【請求項１６】  前記基地局は、前記フォワードリンク基地局タイミング較正誤差と等価な量だけ、前記基地局から前記ワイヤレス通信装置に送信される信号に対する送信時間を調整することにより前記基地局タイミングを較正する請求項１５記載のシステム。
【請求項１７】  前記基地局は、前記リバースリンク基地局タイミング較正誤差と等価な量だけ、前記ワイヤレス通信装置から前記基地局に送信される信号に対する受信時間を調整することにより前記基地局タイミングを較正する請求項１６記載のシステム。
【請求項１８】  前記ワイヤレス通信装置は、グローバルポジショニング衛星メカニズムを使用することにより前記ワイヤレス通信装置位置情報を決定し、前記グローバルポジショニング衛星メカニズムは、複数の関係する衛星からタイミングおよび周波数情報を受信し、前記タイミングおよび周波数情報に基づいてその位置を決定するように構成されている請求項１７記載のシステム。
【請求項１９】  ワイヤレス通信システム中の基地局のタイミングを較正するための複数のプロセッサ実行可能な命令シーケンスでエンコードされた機械読み取り可能な媒体において、
前記命令シーケンスは、
ワイヤレス通信装置の位置情報を決定し、
前記ワイヤレス通信装置と前記基地局との間の見通線距離に対応する見通線遅延を計算し、前記見通線距離は基地局位置情報と前記ワイヤレス通信装置位置情報とに基づいており、
前記基地局から前記ワイヤレス通信装置に送信される第１の信号の到着時間を検出し、
第１の信号により生じる遅延と、前記第１の信号に応答して、前記ワイヤレス通信装置から前記基地局に返信される第２の信号により生じる遅延とに対応する往復遅延を測定し、
前記見通線遅延と前記第１の信号の到着時間と前記往復遅延とに基づいて、基地局タイミング較正誤差を決定し、
前記基地局タイミングを較正して前記基地局タイミング較正誤差を補償することを含み、
前記見通線遅延は、以下の関係：
ΔLOS＝（√（（ｘｂ−ｘw）2＋（ｙｂ−ｙw）2＋（ｚｂ−ｚw）2））
／ｃ
によって決定され、
ここで、ΔLOSは見通線遅延を表し、
ｘｂ、ｙｂ、およびｚｂは基地局位置情報を識別する座標情報を表し、
ｘw、ｙwおよびｚwはワイヤレス通信装置位置情報を識別する座標情報を表し、
ｃは光速を表している機械読み取り可能な媒体。
【請求項２０】  前記基地局タイミング較正誤差を決定することは、前記第１の信号の到着時間と前記見通線遅延とワイヤレス通信装置処理遅延とに基づいてフォワードリンク基地局タイミング較正誤差を決定することを含む請求項１９記載の機械読み取り可能な媒体。
【請求項２１】  前記基地局タイミング較正誤差を決定することは、前記往復遅延と前記第１の信号の到着時間と前記見通線遅延と前記ワイヤレス通信装置処理遅延とに基づいてリバースリンク基地局タイミング較正誤差を決定することを含む請求項２０記載の機械読み取り可能な媒体。
【請求項２２】  前記フォワードリンク基地局タイミング較正誤差は、以下の関係：
Δbf＝τarr−Δwf−ΔLOS
によって決定され、
ここで、Δbfはフォワードリンク基地局タイミング較正誤差を表し、
Δwfはワイヤレス通信装置処理遅延を表し、
τarrは第１の信号の到着時間を表し、
ΔLOSは見通線遅延を表す請求項２１記載の機械読み取り可能な媒体。
【請求項２３】  前記リバースリンク基地局タイミング較正誤差は、以下の関係：
Δbr＝ＲＴＤ＋Δwf−τarr−ΔLOS
によって決定され、
ここで、Δbrはリバースリンク基地局タイミング較正誤差を表し、
ＲＴＤは往復遅延を表し、
Δwfはワイヤレス通信装置処理遅延を表し、
τarrは第１の信号の到着時間を表し、
ΔLOSは見通線遅延を表す請求項２２記載の機械読み取り可能な媒体。
【請求項２４】  前記往復遅延を測定することは、
前記基地局から前記ワイヤレス通信装置に送信される複数の第１の信号と、前記第１の信号に応答して、前記ワイヤレス通信装置から前記基地局に送信される複数の第２の信号とに対応する複数の遅延を測定し、
前記複数の遅延を平均して前記往復遅延を決定することをさらに含む請求項２３記載の機械読み取り可能な媒体。
【請求項２５】  前記基地局タイミングを較正して前記基地局タイミング較正誤差を補償することは、前記フォワードリンク基地局タイミング較正誤差と等価な量だけ、前記基地局から前記ワイヤレス通信装置に送信される信号に対する送信時間を調整することを含む請求項２４記載の機械読み取り可能な媒体。
【請求項２６】  前記基地局タイミングを較正して前記基地局タイミング較正誤差を補償することは、前記リバースリンク基地局タイミング較正誤差と等価な量だけ、前記ワイヤレス通信装置から前記基地局に送信される信号に対する受信時間を調整することをさらに含む請求項２５記載の機械読み取り可能な媒体。
【請求項２７】  前記ワイヤレス通信装置の位置情報を決定することは、前記ワイヤレス通信装置中でグローバルポジショニング衛星メカニズムを使用することを含み、前記グローバルポジショニング衛星メカニズムは、複数の関係する衛星からタイミングおよび周波数情報を受信し、前記タイミングおよび周波数情報に基づいてその位置を決定するように構成されている請求項２６記載の機械読み取り可能な媒体。
【手続補正２】
【補正対象書類名】明細書
【補正対象項目名】００４０
【補正方法】変更
【補正の内容】
【００４０】
ＢＳ１０６はＢＳ１０６からＷＤ１１０に、そしてＢＳ１０６に戻って通信される信号により受ける往復遅延（ＲＴＤ）を測定することができる。特に、ＲＴＤはＢＳ１０６からＷＤ１１０に送信される信号に関係する遅延と、ＢＳ１０６から受信した信号に応答して、ＷＤ１１０からＢＳ１０６に返信される信号に関係する遅延とを含む。ＲＴＤはＢＳ１０６からＷＤ１１０に送信される複数の信号と、ＢＳ１０６から受信した複数の信号に応答して、ＷＤ１１０からＢＳ１０６に返信される複数の信号とに対応する複数の遅延を測定し、複数の遅延を平均して決定してもよい。図２に示されているように、ＷＤ１１０はそのリバースリンク送信の送信時間を受信したフォワードリンク送信の到着時間と整列させることに留意すべきである。